Podtech/llm-jp-corpus-v4-ja_patent huggingface dataset:
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
基板と、多材料層と、キャップ層と、多層型吸収層をこの順序で備えるフォトマスクを提供する工程と、多層型吸収層はバルク吸収層上に配置された自己マスク層を備え、自己マスク層はタンタルと酸素を含み、バルク吸収層はタンタルを含み基本的に酸素を含まず、
第１エッチング処理を用いて自己マスク層をエッチングする工程と、
第１エッチング処理とは異なる第２エッチング処理を用いてバルク吸収層をエッチングする工程を含み、バルク吸収層のエッチング速度は第２エッチング処理中の自己マスク層のエッチング速度よりも大きい極紫外線フォトマスクのエッチング方法。
【請求項２】
フォトマスクが多層型吸収層の上に配置されたフォトレジスト層を更に備えたブランク極紫外線フォトマスクであり、自己マスク層が反射防止サブ層であり、バルク吸収層がバルクサブ層であり、
フォトレジスト層にパターン像を形成する工程と、
パターン像に対応しないフォトレジスト層部位を除去することでパターン像に対応しない反射防止サブ層の部位を露出させる工程と、
第１エッチング処理を用いてパターン像に対応しない反射防止サブ層の露出部位を除去することでパターン像に対応しないバルクサブ層の部位を露出させ、
バルクサブ層除去速度が反射防止サブ層除去速度の少なくとも１０倍以上である第２エッチング処理を用いて、パターン像に対応しない、反射防止サブ層の下のバルクサブ層の露出部位を除去することでパターン像に対応しないキャップ層の部位を露出させる工程と、
フォトレジスト層を除去する工程を含む請求項１記載の方法。
【請求項３】
自己マスク層がＴａＳｉＯＮ、ＴａＢＯ、又はＴａＯＮの１つを含む請求項１〜２のいずれか１項記載の方法。
【請求項４】
バルク吸収層がＴａＳｉ、ＴａＢＮ、又はＴａＮの１つを含む請求項１〜２のいずれか１項記載の方法。
【請求項５】
自己マスク層がＴａＳｉＯＮを含み、バルク吸収層がＴａＳｉを含むか、
自己マスク層がＴａＢＯを含み、バルク吸収層がＴａＢＮを含むか、又は
自己マスク層がＴａＯＮを含み、バルク吸収層がＴａＮを含むかのいずれかである請求項１〜２のいずれか１項記載の方法。
【請求項６】
第１エッチング処理が、
フッ素含有ガス、四塩化炭素（ＣＣｌ４）、又は塩化水素（ＨＣｌ）の少なくとも１つを含む処理ガスを用いて自己マスク層をエッチングする工程を含む請求項１〜２のいずれか１項記載の方法。
【請求項７】
第１エッチング処理が、
トリフルオロメタン（ＣＨＦ３）、四フッ化炭素（ＣＦ４）、六フッ化硫黄（ＳＦ６）、六フッ化炭素（Ｃ２Ｆ６）、四塩化炭素（ＣＣｌ４）、又は塩化水素（ＨＣｌ）の少なくとも１つを含む処理ガスを用いて自己マスク層をエッチングする工程を含む請求項１〜２のいずれか１項記載の方法。
【請求項８】
第２エッチング処理が、
バルク吸収層を少なくとも１つの塩素含有処理ガスを用いてエッチングする工程を含む請求項１〜２のいずれか１項記載の方法。
【請求項９】
第２エッチング処理が、
塩素（Ｃｌ２）、四塩化炭素（ＣＣｌ４）、又は塩化水素（ＨＣｌ）の少なくとも１つを含む処理ガスを用いてバルク吸収層をエッチングする工程を含む請求項１〜２のいずれか１項記載の方法。
【請求項１０】
基板が石英を含み、多材料層がモリブデンとケイ素を含み、キャップ層がジルコニウムとケイ素を含む請求項１〜２のいずれか１項記載の方法。
【請求項１１】
キャップ層と多材料吸収層の厚さが約７０〜１３０ｎｍである請求項１〜２のいずれか１項記載の方法。
【請求項１２】
バルク吸収層の厚さが多層型吸収層の約８０〜８５％であるか、又は
自己マスク層の厚さが多層型吸収層の約１５〜２０パーセントであるかのいずれかである請求項１〜２のいずれか１項記載の方法。
【請求項１３】
多層型吸収層の厚さが４０〜１００ｎｍである請求項１〜２のいずれか１項記載のフォトマスク。
【請求項１４】
自己マスク層のエッチングに先立って自己マスク層の上にフォトレジスト層を堆積し、パターニングする工程を更に含む請求項１記載の方法。
【請求項１５】
第２エッチング処理は自己マスク層に対してバルク吸収層の選択性を少なくとも１０で維持する請求項１記載の方法。
【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
放射線のビームを調節する照明システムと、
前記放射線のビームの断面にパターンを与えるパターニングデバイスを保持する支持構造体と、
基板を保持する基板テーブルと、
パターン化したビームを前記基板の目標部分上に投影する投影システムと、
前記投影システムの少なくとも一部、前記照明システムの少なくとも一部、またはその両方を含む容積に流体を提供する流体供給システムと、
前記流体供給システムと前記投影システムとの間の開口を覆うカバー手段と、
前記カバー手段を前記流体供給システムに結合する結合デバイスと、
を備えるリソグラフィ装置。
【請求項２】
前記結合デバイスは、ガスベアリングを含む、請求項１記載の装置。
【請求項３】
前記結合デバイスは、少なくとも部分真空を含む、請求項１又は２記載の装置。
【請求項４】
複数のガス出口及び複数の少なくとも部分真空の入口を含む、請求項３に記載の装置。
【請求項５】
前記ガス出口およびガス入口は、それぞれ、環状をなすガス供給領域、および、環状をなす少なくとも部分真空の領域に設けられており、前記環状をなすガス供給領域、および、前記環状をなす少なくとも部分真空の領域は、前記投影システムの光軸のまわりに同心状に配されている、請求項４に記載の装置。
【請求項６】
前記環状をなすガス供給領域、および、前記環状をなす少なくとも部分真空の領域は、それぞれ多孔質材料を含む、請求項５に記載の装置。
【請求項７】
前記環状をなすガス供給領域の多孔質材料は、前記環状をなす少なくとも部分真空の領域の多孔質材料よりも高い多孔性を有する、請求項６記載の装置。
【請求項８】
前記カバー手段を拾いあげるために前記ガス出口からのガスを止める請求項４乃至７のいずれか一項に記載の装置。
【請求項９】
前記カバー手段は、前記基板テーブル内に配置され、前記カバー手段の表面は、前記基板テーブルの表面と同一平面上にある請求項１乃至８のいずれか一項に記載の装置。
【請求項１０】
前記結合デバイスは、さらに、前記流体供給システムを前記基板テーブル及び／又は基板に結合可能である、請求項１乃至９のいずれか一項に記載の装置。
【請求項１１】
投影システムを用いて、パターン化したビームを基板の目標部分上に投影すること、
前記投影システムの少なくとも一部、照明システムの少なくとも一部、またはその両方を含む容積に、流体供給システムを用いて、流体を提供すること、および
前記流体供給システムと前記投影システムとの間の開口を覆うカバー手段と、前記流体供給システムとを結合すること、を含むデバイス製造方法。
【請求項１２】
前記流体供給システムと前記カバー手段とを真空を用いて結合する請求項１１に記載の製造方法。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
液体を吐出口から吐出させるための熱エネルギーを発生する複数の電気熱変換素子と、該電気熱変換素子への電流の供給を制御するためのスイッチング素子と、該複数の電気熱変換素子を複数のグループに分けたときに、１つの前記グループに属する複数の前記電気熱変換素子に接続し、夫々が電気的に分離された複数のＶＨ配線と、該ＶＨ配線と対となり前記グループに属する複数の前記熱変換素子に接続し、夫々が電気的に分離された複数のＧＮＤＨ配線と、を表面に備えた基板を用意する工程と、
一対の前記ＶＨ配線と前記ＧＮＤＨ配線との間に電圧を印加し、一対の前記ＶＨ配線と前記ＧＮＤＨ配線との間の抵抗値を検査する工程と、
一対の前記ＶＨ配線と前記ＧＮＤＨ配線との間の抵抗値を検査する工程の後に、１つの前記ＶＨ配線に対して２つが接続して設けられるように、前記表面と該表面の反対側の裏面とを貫通する複数の第１の貫通電極を設ける工程と、
一対の前記ＶＨ配線と前記ＧＮＤＨ配線との間の抵抗値を検査する工程の後に、１つの前記ＧＮＤＨ配線に対して２つが接続して設けられるように、前記表面と前記裏面とを貫通する複数の第２の貫通電極を設ける工程と、
前記裏面に、異なる前記ＶＨ配線に接続する２つの前記第１の貫通電極に接続するように、複数の第１の裏面配線を設ける工程と、
前記裏面に、異なる前記ＧＮＤＨ配線に接続する２つの前記第２の貫通電極に接続するように、複数の第２の裏面配線を設ける工程と、
前記複数の第１の裏面配線のうち２つの間に電圧を印加し、２つの前記第１の裏面配線の間の抵抗値を検査する工程と、
前記複数の第２の裏面配線のうち２つの間に電圧を印加し、２つの前記第２の裏面配線の間の抵抗値を検査する工程と、
を有することを特徴とする液体吐出ヘッド用基板の製造方法。
【請求項２】
一対の前記ＶＨ配線と前記ＧＮＤＨ配線との間の抵抗値を検査する工程は、一対の前記ＶＨ配線と前記ＧＮＤＨ配線とを直流電源を備える電気検査回路の端子に接続することで行われることを特徴とする請求項１に記載の液体吐出ヘッド用基板の製造方法。
【請求項３】
前記ＶＨ配線と前記ＧＮＤＨ配線とは、絶縁材料からなる絶縁層で被覆されており、
一対の前記ＶＨ配線と前記ＧＮＤＨ配線との間の抵抗値を検査する工程は、前記絶縁層に設けられた開口部に露出する前記ＶＨ配線の部分と前記ＧＮＤＨ配線の部分とに前記端子を接続することで行われることを特徴とする請求項２に記載の液体吐出ヘッド用基板の製造方法。
【請求項４】
２つの前記第１の裏面配線の間の抵抗値を検査する工程は、２つの前記第１の裏面配線に直流電源を備える電気検査回路の端子を接続することで行われ、
２つの前記第２の裏面配線の間の抵抗値を検査する工程は、２つの前記第２の裏面配線に直流電源を備える電気検査回路の端子を接続することで行われることを特徴とする請求項１乃至請求項３のいずれかに記載の液体吐出ヘッド用基板の製造方法。
【請求項５】
前記複数の第１の貫通電極は列状の第１の列を構成しており、導通を確認するために用いられる２つの前記第１の裏面配線は、前記第１の列の両端部の前記第１の貫通電極に接続されており、
前記複数の第２の貫通電極は列状の第２の列を構成しており、導通を確認するために用いられる２つの前記第２の裏面配線は、前記第２の列の両端部の前記第２の貫通電極に接続されていることを特徴とする請求項１乃至請求項４のいずれかに記載の液体吐出ヘッド用基板の製造方法。
【請求項６】
前記複数の第１の裏面配線と前記複数の第２の裏面配線との夫々には、基板外部との電気的な接続を取るための複数の接続端子が設けられていることを特徴とする請求項１乃至請求項５のいずれかに記載の液体吐出ヘッド用基板の製造方法。
【手続補正２】
【補正対象書類名】明細書
【補正対象項目名】発明の名称
【補正方法】変更
【補正の内容】
【発明の名称】液体吐出ヘッド用基板の製造方法
【手続補正３】
【補正対象書類名】明細書
【補正対象項目名】００３２
【補正方法】変更
【補正の内容】
【００３２】
本発明の目的は、上記問題を解決し、貫通電極の検査時間を短縮することができ、かつ、貫通電極形成前のチップ表面の電気検査を行うことができる、液体吐出ヘッド用基板の製造方法を提供することにある。
【手続補正４】
【補正対象書類名】明細書
【補正対象項目名】００３３
【補正方法】変更
【補正の内容】
【００３３】
上記目的を達成するため、本発明の液体吐出ヘッド用基板の製造方法は、
液体を吐出口から吐出させるための熱エネルギーを発生する複数の電気熱変換素子と、該電気熱変換素子への電流の供給を制御するためのスイッチング素子と、該複数の電気熱変換素子を複数のグループに分けたときに、１つの前記グループに属する複数の前記電気熱変換素子に接続し、夫々が電気的に分離された複数のＶＨ配線と、該ＶＨ配線と対となり前記グループに属する複数の前記熱変換素子に接続し、夫々が電気的に分離された複数のＧＮＤＨ配線と、を表面に備えた基板を用意する工程と、
一対の前記ＶＨ配線と前記ＧＮＤＨ配線との間に電圧を印加し、一対の前記ＶＨ配線と前記ＧＮＤＨ配線との間の抵抗値を検査する工程と、
一対の前記ＶＨ配線と前記ＧＮＤＨ配線との間の抵抗値を検査する工程の後に、１つの前記ＶＨ配線に対して２つが接続して設けられるように、前記表面と該表面の反対側の裏面とを貫通する複数の第１の貫通電極を設ける工程と、
一対の前記ＶＨ配線と前記ＧＮＤＨ配線との間の抵抗値を検査する工程の後に、１つの前記ＧＮＤＨ配線に対して２つが接続して設けられるように、前記表面と前記裏面とを貫通する複数の第２の貫通電極を設ける工程と、
前記裏面に、異なる前記ＶＨ配線に接続する２つの前記第１の貫通電極に接続するように、複数の第１の裏面配線を設ける工程と、
前記裏面に、異なる前記ＧＮＤＨ配線に接続する２つの前記第２の貫通電極に接続するように、複数の第２の裏面配線を設ける工程と、
前記複数の第１の裏面配線のうち２つの間に電圧を印加し、２つの前記第１の裏面配線の間の抵抗値を検査する工程と、
前記複数の第２の裏面配線のうち２つの間に電圧を印加し、２つの前記第２の裏面配線の間の抵抗値を検査する工程と、
を有する。
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
印刷対象物を搬送する搬送手段と、
外周面に複数の開口部を有すると共に、前記開口部と外部の気体圧力源とを連通させる流路を内部に有し、回転可能に配置されたロールと、
前記ロールの外周面に沿って巻設された伸縮性を有する版と
を備え、
前記気体圧力源を減圧状態にすることにより前記版が前記ロールの外周面に吸着されて版と印刷対象物との間に間隙が形成される一方、前記気体圧力源を加圧状態にすることにより前記版が前記ロールの外周面から離反して前記印刷対象物に接触する
ことを特徴とする印刷装置。
【請求項２】
前記ロールの回転に同期したタイミングで、前記印刷対象物と対向する位置の開口部に連通する流路を次々と加圧状態にすることにより、前記版を前記印刷対象物に順次接触させるように制御を行う制御手段をさらに備えた
ことを特徴とする請求項１に記載の印刷装置。
【請求項３】
前記印刷対象物と対向する位置の開口部に連通する流路への加圧力を調整することにより、前記版の前記印刷対象物への接触圧を制御する
ことを特徴とする請求項１または２に記載の印刷装置。
【請求項４】
前記ロールの側端面に、前記流路を介して前記開口部に連通する接続ポートが複数設けられ、各接続ポートに対する加減圧が前記気体圧力源によって独立に行われる
ことを特徴とする請求項１ないし３のいずれか１項に記載の印刷装置。
【請求項５】
前記開口部が、前記ロールの外周方向および軸方向に沿って点在配置されている
ことを特徴とする請求項１ないし４のいずれか１項に記載の印刷装置。
【請求項６】
前記ロールの軸方向に沿って並んだ１列分の複数の開口部が１つの接続ポートに連通している
ことを特徴とする請求項５に記載の印刷装置。
【請求項７】
前記接続ポートと前記開口部とが１対１で連通している
ことを特徴とする請求項５に記載の印刷装置。
【請求項８】
前記開口部が、前記ロールの軸方向に延びるスリット形状を有し、これがロールの外周方向に沿って複数配置されている
ことを特徴とする請求項１に記載の印刷装置。
【請求項９】
前記開口部の大きさが前記軸方向に沿って異なる
ことを特徴とする請求項６に記載の印刷装置。
【請求項１０】
外周面に複数の開口部を有すると共に前記開口部と外部の気体圧力源とを連通させる流路を内部に有するロールを回転可能に配置し、
前記ロールの外周面に沿って伸縮性を有する版を巻設し、
前記ロールを回転させながら印刷対象物を搬送し、前記気体圧力源を減圧状態にすることにより前記版を前記ロールの外周面に吸着させて版と印刷対象物との間に間隙を形成する一方、前記気体圧力源を加圧状態にすることにより版をロールの外周面から離反させて印刷対象物に接触させる
ことを特徴とする印刷方法。
【請求項１１】
印刷対象物を搬送する搬送手段と、
外周面に複数の開口部を有すると共に、前記開口部と外部の気体圧力源とを連通させる流路を内部に有し、回転可能に配置された転写ロールと、
前記転写ロールの外周面に沿って巻設された伸縮性を有するブランケットと、
剛体からなり、または、剛体に平版を巻設してなり、前記転写ロールに巻設されたブランケットに当接しながら回転可能に配置された平版ロールと
を備え、
前記気体圧力源を減圧状態にすることにより前記ブランケットが前記転写ロールの外周面に吸着されてブランケットと印刷対象物との間に間隙が形成される一方、前記気体圧力源を加圧状態にすることにより前記ブランケットが前記転写ロールの外周面から離反して前記印刷対象物に接触する
ことを特徴とする印刷装置。
【請求項１２】
外周面に複数の開口部を有すると共に前記開口部と外部の気体圧力源とを連通させる流路を内部に有する転写ロールを回転可能に配置し、
前記ロールの外周面に沿って伸縮性を有するブランケットを巻設し、
剛体からなる平版ロール、または、剛体に平版を巻設してなる平版ロールを、前記転写ロールに巻設されたブランケットに当接しながら回転可能に配置し、
前記平版ロールおよび転写ロールを回転させながら印刷対象物を搬送し、前記気体圧力源を減圧状態にすることにより前記ブランケットを前記転写ロールの外周面に吸着させてブランケットと印刷対象物との間に間隙を形成する一方、前記気体圧力源を加圧状態にすることによりブランケットを転写ロールの外周面から離反させて印刷対象物に接触させる
ことを特徴とする印刷方法。
【請求項１３】
伸縮性の版と、
圧縮気体によって前記版を印刷対象物に押し付けるように加圧する加圧手段と
を備えたことを特徴とする印刷装置。
【請求項１４】
前記版が凸版であることを特徴とする請求項１３に記載の印刷装置。
【請求項１５】
前記版が凹版であることを特徴とする請求項１３に記載の印刷装置。
【請求項１６】
前記版が平版であることを特徴とする請求項１３に記載の印刷装置。
【手続補正書】
【提出日】平成22年6月15日(2010.6.15)
【手続補正１】
【補正対象書類名】特許請求の範囲
【補正対象項目名】請求項１
【補正方法】変更
【補正の内容】
【請求項１】
複数の吐出口からなる吐出口列と、前記吐出口にインクを供給するために前記吐出口に連通されたインク流路部と、前記吐出口に対応しインクを吐出するために利用される熱エネルギーを発生させる複数の吐出用発熱抵抗体とを備えた記録素子基板を有するインクジェット記録ヘッドにおいて、
前記吐出用発熱抵抗体の下層に配置されるとともに前記インク流路部の下を通って配置された配線からなる第１の加熱用発熱抵抗体と、前記記録素子基板の外周に配置された配線からなる第２の加熱用発熱抵抗体とを有し、前記記録素子基板の温度に応じて、前記第１の加熱用発熱抵抗体と前記第２の加熱用発熱抵抗体の発熱量を制御することを特徴とするインクジェット記録ヘッド。
【手続補正２】
【補正対象書類名】特許請求の範囲
【補正対象項目名】請求項６
【補正方法】変更
【補正の内容】
【請求項６】
複数の吐出口からなる複数の吐出口列と、前記吐出口にインクを供給するために前記吐出口に連通されたインク流路部と、各々の前記吐出口列の前記インク流路部にインクを供給するための複数のインク供給口と、前記吐出口に対応しインクを吐出するために利用される熱エネルギーを発生させる複数の吐出用発熱抵抗体とを備えた記録素子基板を有するインクジェット記録ヘッドにおいて、
前記吐出用発熱抵抗体の下層に配置されるとともに各々の前記吐出口列の前記インク流路部の下を通って配置された配線からなる複数の加熱用発熱抵抗体を有し、
前記複数の加熱用発熱抵抗体のうちの少なくとも２つが異なる材料層で構成されていることを特徴とするインクジェット記録ヘッド。
【手続補正３】
【補正対象書類名】特許請求の範囲
【補正対象項目名】請求項８
【補正方法】変更
【補正の内容】
【請求項８】
相対的に吐出口径の大きい前記第１の吐出口列に対応する前記加熱用発熱抵抗体が占める配線幅に対し、相対的に吐出口径の小さい前記第２の吐出口列に対応する前記加熱用発熱抵抗体が占める配線幅が大きいことを特徴とする請求項７に記載のインクジェット記録ヘッド。
【手続補正４】
【補正対象書類名】特許請求の範囲
【補正対象項目名】請求項１０
【補正方法】変更
【補正の内容】
【請求項１０】
相対的に粘度が低いインクを供給する前記第１のインク供給口に対応する前記加熱用発熱抵抗体が占める配線幅に対し、相対的に粘度が高いインクを供給する前記第２のインク供給口に対応する前記加熱用発熱抵抗体が占める配線幅が大きいことを特徴とする請求項９に記載のインクジェット記録ヘッド。
【手続補正５】
【補正対象書類名】明細書
【補正対象項目名】００３５
【補正方法】変更
【補正の内容】
【００３５】
本発明においては、図５に示すように吐出用発熱抵抗体３３０となる抵抗層２１９の下層に、第１の加熱用発熱抵抗体５０１が設けられている。この第１の加熱用発熱抵抗体５０１は、アルミで形成し前述のアルミ電極２１７製法時に同時に作ってもよいし、前述のゲート配線に用いられるポリシリコンで形成してもよい。また、第１の加熱用発熱抵抗体と同層の第２の加熱用発熱抵抗体６０１が記録素子基板の外周に設けられている。第１の加熱用発熱抵抗体５０１と第２の加熱用発熱抵抗体６０１は、それぞれ図６に示した外部信号入力端子１３０１の中の第１の加熱用コンタクトパッド５１０と第２の加熱用コンタクトパッド６１０に同じ層の配線を介し、電気的に接続されている。そして、本体からの信号によりコンタクトパッド５１０、６１０に信号が送られると、発熱する仕組みになっている。
【手続補正６】
【補正対象書類名】明細書
【補正対象項目名】０１２７
【補正方法】変更
【補正の内容】
【０１２７】
図２６は加熱用発熱抵抗体の位置を説明するための図であり、図２６（ａ）は、図２５のＢ部の拡大図であり、図２６（ｂ）は図２６（ａ）のａ−ａ断面である。図２５に示すように、第１の加熱用発熱抵抗体５０１の一部と第２の加熱用発熱抵抗体５０２が、吐出口にインクを供給するために吐出口に連通されたインク流路部の下に複数配置されている。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
被検体の内部に挿入される挿入部と、
前記被検体に照明光を照射する照明手段と、
該照明光によって照明された前記被検体の内部を撮像して画像信号を出力する撮像素子
と、
該画像信号から映像信号を生成する映像信号処理部とを備え、
該映像信号処理部は、前記画像信号から色信号を生成する色分離手段と、
該色分離手段から出力された前記色信号の色温度を演算し、該色温度が、前記照明光の
異常状態と対応して予め設定された異常照明範囲内かどうか判断する異常検知手段とを有
することを特徴とする内視鏡装置。
【請求項２】
請求項１に記載の内視鏡装置において、
前記映像信号処理部は、画像の色温度を演算する色温度解析手段を内蔵し、該色温度解
析手段による演算結果に基づいて、入力される前記画像信号のホワイトバランスを調整す
るホワイトバランス処理回路を有していることを特徴とする内視鏡装置。
【請求項３】
請求項２に記載の内視鏡装置において、
前記ホワイトバランス処理回路の前記色温度解析手段は、前記異常検知手段として、前
記色信号の色温度が前記異常照明範囲内かどうかの判断も行うことを特徴とする内視鏡装
置。
【請求項４】
請求項３に記載の内視鏡装置において、
前記映像信号処理部のホワイトバランス処理回路は、ホワイトバランスの調整値が予め
設定されていて、該調整値に基づいて前記画像信号のホワイトバランスを順次調整するオ
ートホワイトバランス機能を有し、前記画像信号のホワイトバランスの調整とともに、前
記色信号の色温度が前記異常照明範囲内かどうかの判断も順次行うことを特徴とする内視
鏡装置。
【請求項５】
請求項１から請求項４のいずれかに記載の内視鏡装置において、
前記照明手段は、供給される電流に応じて励起光を発する光源部と、
該励起光によって励起されて前記照明光を射出する蛍光部材とを有することを特徴とす
る内視鏡装置。
【請求項６】
請求項１から請求項５のいずれかに記載の内視鏡装置において、
前記照明手段、前記撮像素子、及び、前記映像信号処理部に電力を供給する電源部を備
え、
前記異常検知手段は、前記色信号の色温度が前記異常照明範囲内であると判断した場合
に、前記電源部からの電力の供給を停止させることを特徴とする内視鏡装置。
【請求項７】
請求項５に記載の内視鏡装置において、
前記照明手段は、前記光源部に電流を供給する光源駆動部を備え、
前記異常検知手段は、前記色信号の色温度が前記異常照明範囲内であると判断した場合
に、前記光源駆動部から前記照明手段の前記光源部への電流の供給を停止させることを特
徴とする内視鏡装置。
【請求項８】
請求項１から請求項５のいずれかに記載の内視鏡装置において、
操作者に異常の発生を報知する報知手段を備え、
前記異常検知手段は、前記色信号の色温度が前記異常照明範囲内であると判断した場合
に、前記報知手段を駆動させることを特徴とする内視鏡装置。
【手続補正２】
【補正対象書類名】明細書
【補正対象項目名】０００６
【補正方法】変更
【補正の内容】
【０００６】
上記課題を解決するために、この発明は以下の手段を提案している。
本発明は、被検体の内部に挿入される挿入部と、前記被検体に照明光を照射する照明手
段と、該照明光によって照明された前記被検体の内部を撮像して画像信号を出力する撮像
素子と、該画像信号から映像信号を生成する映像信号処理部とを備え、該映像信号処理部
は、前記画像信号から色信号を生成する色分離手段と、該色分離手段から出力された前記
色信号の色温度を演算し、該色温度が、前記照明光の異常状態と対応して予め設定された
異常照明範囲内かどうか判断する異常検知手段とを有することを特徴としている。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
被検体が置かれる空間に静磁場を発生する静磁場発生手段と、前記被検体から発生する核磁気共鳴信号を受信コイルで受信する受信手段と、前記核磁気共鳴信号を用いて画像再構成演算を行い画像を再構成する信号処理手段と、前記被検体を載置する寝台を前記空間へ移動させる移動手段と、所定のパルスシーケンスに従って前記受信手段、信号処理手段および移動手段の動作を制御する制御手段と、を備え、前記被検体を前記移動手段により前記空間内で移動させて撮像を行なう磁気共鳴イメージング装置において、
前記寝台の移動距離を管理する寝台移動管理手段と、
前記受信コイルの情報を取得する受信コイル情報取得手段と、
前記受信コイルの情報を表示させる表示手段と、を備え、
前記受信コイル情報取得手段は、前記受信コイルの情報を取得したタイミングの前記移動距離の情報を前記寝台移動管理手段から取得し、
前記表示手段は、前記受信コイル情報と前記移動距離とが対応づけて表示すること
を特徴とする磁気共鳴イメージング装置。
【請求項２】
請求項１記載の磁気共鳴イメージング装置であって、
前記信号処理手段が再構成した画像に、前記受信コイル情報を重畳し、前記表示手段に表示するＧＵＩ（Ｇｒａｐｈｉｃａｌ  Ｕｓｅｒ  Ｉｎｔｅｒｆａｃｅ）画面を生成するＧＵＩ画面情報生成手段をさらに備え、
前記重畳する受信コイル情報は、前記受信コイルを特定する情報および当該受信コイルの前記移動距離であること
を特徴とする磁気共鳴イメージング装置。
【請求項３】
請求項１または２に記載の磁気共鳴イメージング装置であって、
前記受信手段は、複数の受信コイルを備え、
前記表示手段は、各受信コイルの前記受信コイル情報と前記移動距離とが対応づけて表示すること
を特徴とする磁気共鳴イメージング装置。
【請求項４】
請求項１乃至３のいずれか１項に記載の磁気共鳴イメージング装置であって、
前記受信コイル情報取得手段は、前記制御手段による撮像動作において前記受信コイルの情報を取得すること
を特徴とする磁気共鳴イメージング装置。
【請求項５】
請求項１乃至４のいずれか１項に記載の磁気共鳴イメージング装置であって、
前記受信コイルはマーカを備え、
前記受信コイル情報取得手段は、前記マーカを読み取る読取手段を備えること
を特徴とする磁気共鳴イメージング装置。
【請求項６】
請求項５記載の磁気共鳴イメージング装置であって、
前記マーカはバーコードであり、
前記読取手段は、バーコードリーダであること
を特徴とする磁気共鳴イメージング装置。
【請求項７】
請求項１乃至６のいずれか１項に記載の磁気共鳴イメージング装置であって、
前記移動手段は、前記寝台を複数の方向に移動可能であり、
前記受信コイル情報取得手段は、前記受信コイルの情報を取得するタイミングにおける当該受信コイルの前記複数の方向の位置を検出する複数方向位置検出手段を備え、
前記前記表示手段は、前記受信コイルの情報に対応づけて当該受信コイルの前記複数の方向の位置を表示すること
を特徴とする磁気共鳴イメージング装置。
【請求項８】
請求項１乃至４のいずれか１項に記載の磁気共鳴イメージング装置であって、
前記受信コイルは、自身の情報を接続先に送出するコネクタを備え、
前記寝台は、前記コネクタに接続し、当該コネクタから受信した前記情報をおよび前記コネクタが接続した位置の情報を前記受信コイル情報取得手段に送信するスライダを備えること
を特徴とする磁気共鳴イメージング装置。
【手続補正２】
【補正対象書類名】明細書
【補正対象項目名】００１０
【補正方法】変更
【補正の内容】
【００１０】
具体的には、被検体が置かれる空間に静磁場を発生する静磁場発生手段と、前記被検体から発生する核磁気共鳴信号を受信コイルで受信する受信手段と、前記核磁気共鳴信号を用いて画像再構成演算を行い画像を再構成する信号処理手段と、前記被検体を載置する寝台を前記空間へ移動させる移動手段と、所定のパルスシーケンスに従って前記受信手段、信号処理手段および移動手段の動作を制御する制御手段と、を備え、前記被検体を前記移動手段により前記空間内で移動させて撮像を行なう磁気共鳴イメージング装置において、前記寝台の移動距離を管理する寝台移動管理手段と、前記受信コイルの情報を取得する受信コイル情報取得手段と、前記受信コイルの情報を表示させる表示手段と、を備え、前記受信コイル情報取得手段は、前記受信コイルの情報を取得したタイミングの前記移動距離の情報を前記寝台移動管理手段から取得し、前記表示手段は、前記受信コイル情報と前記移動距離とが対応づけて表示することを特徴とする磁気共鳴イメージング装置を提供する。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
撮像素子が配置された撮影光学系を備える眼底撮影装置で撮影された眼底画像と，被検者眼の光学特性情報として視度，眼軸長，角膜曲率の少なくとも一つを入力する入力手段を備え、該入力情報に基づいて眼底上での実距離を計測する眼科測定装置において、
被検者眼の視度に関する前記撮影光学系のスケール変数Ｃ（α）であって，被検者眼の視度以外の光学特性に依存しないスケール変数Ｃ（α）を記憶する記憶手段と、
前記眼底撮影装置により得られる被検者眼の眼底画像の撮影倍率βを，前記スケール変数Ｃ（α）と被検者眼の眼底側主点から眼底までの距離の距離（物距離）ｄとに基づいて求め、求めた前記撮影倍率βに基づいて前記眼底画像の眼底上での実距離を演算する演算手段と、
を備え、
前記演算手段は、所定の眼球光学系モデルから導かれた前記物距離ｄに関する結像の関係式と前記入力手段により入力された光学特性情報に基づいて前記物距離ｄを求める
ことを特徴とする眼科測定装置。
【請求項２】
請求項１の眼科測定装置において、
前記スケール変数は、
眼底面に指標を有し視度の異なる複数種類の眼の模型を前記撮影光学系にて視度毎に撮影し，撮影された指標から得た撮影倍率を、前記眼の模型の指標を物点とした場合に各視度毎に定まる前記眼の模型の物側主点から指標までの距離で除することにより得られる視度の関数である、
ことを特徴とする眼科測定装置。
【請求項３】
請求項１又は２の眼科測定装置において、
前記物距離ｄに関する結像の関係式は、
水晶体屈折力と角膜屈折力を分けた眼球光学系モデルから導かれ、
水晶体屈折力と角膜屈折力を分けたときの全屈折力に対する被検者眼の焦点距離ｆ、被検者眼の眼底像側主点から眼底像までの距離（像距離）ｓとを含む関係式であって、前記入力手段により入力される視度、眼軸長、角膜曲率を変数として含み、
前記演算手段は視度、眼軸長、角膜曲率の内で前記入力手段により入力されない光学特性情報については、前記眼球光学系モデルの所定値を適用して前記物距離ｄを求める、
ことを特徴とする眼科測定装置。
【請求項４】
請求項１〜３の何れかの眼科測定装置において、
眼球光学系モデルから導かれた関係式には、
全屈折力に対する被検者眼の焦点距離ｆ、被検者眼の眼底像側主点から眼底像までの距離（像距離）ｓ及び物距離ｄの結像公式と、
像距離ｓと視度αの関係式と、
物距離ｄと眼軸長の関係式と、
角膜屈折力と水晶体屈折力を分けたときの焦点距離ｆの関係式と、
水晶体屈折力と角膜屈折力を分けたときの像側主点の関係式と、
水晶体屈折力と角膜屈折力を分けたときの物側主点の関係式と、
を含む、
ことを特徴とする眼科測定装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  撮像素子が配置された撮影光学系を備える眼底撮影装置で撮影された眼底画像と，被検者眼の光学特性情報として視度，眼軸長，角膜曲率の少なくとも一つを入力する入力手段を備え、該入力情報に基づいて眼底上での実距離を計測する眼科測定装置において、
被検者眼の視度に関する前記撮影光学系のスケール変数Ｃ（α）であって，被検者眼の視度以外の光学特性に依存しないスケール変数Ｃ（α）を記憶する記憶手段と、
前記眼底撮影装置により得られる被検者眼の眼底画像の撮影倍率βを，前記スケール変数Ｃ（α）と被検者眼の眼底側主点から眼底までの距離の距離（物距離）ｄとに基づいて求め、求めた前記撮影倍率βに基づいて前記眼底画像の眼底上での実距離を演算する演算手段と、
を備え、
前記演算手段は、所定の眼球光学系モデルから導かれた前記物距離ｄに関する結像の関係式と前記入力手段により入力された光学特性情報に基づいて前記物距離ｄを求める
ことを特徴とする。
（２）  （１）の眼科測定装置において、
前記スケール変数は、
眼底面に指標を有し視度の異なる複数種類の眼の模型を前記撮影光学系にて視度毎に撮影し，撮影された指標から得た撮影倍率を、前記眼の模型の指標を物点とした場合に各視度毎に定まる前記眼の模型の物側主点から指標までの距離で除することにより得られる視度の関数である、
ことを特徴とする眼科測定装置。
（３）  （１）又は（２）の眼科測定装置において、
前記物距離ｄに関する結像の関係式は、
水晶体屈折力と角膜屈折力を分けた眼球光学系モデルから導かれ、
水晶体屈折力と角膜屈折力を分けたときの全屈折力に対する被検者眼の焦点距離ｆ、被検者眼の眼底像側主点から眼底像までの距離（像距離）ｓとを含む関係式であって、前記入力手段により入力される視度、眼軸長、角膜曲率を変数として含み、
前記演算手段は視度、眼軸長、角膜曲率の内で前記入力手段により入力されない光学特性情報については、前記眼球光学系モデルの所定値を適用して前記物距離ｄを求める、
ことを特徴とする。
（４）  （１）〜（３）の何れかの眼科測定装置において、
眼球光学系モデルから導かれた関係式には、
全屈折力に対する被検者眼の焦点距離ｆ、被検者眼の眼底像側主点から眼底像までの距離（像距離）ｓ及び物距離ｄの結像公式と、
像距離ｓと視度αの関係式と、
物距離ｄと眼軸長の関係式と、
角膜屈折力と水晶体屈折力を分けたときの焦点距離ｆの関係式と、
水晶体屈折力と角膜屈折力を分けたときの像側主点の関係式と、
水晶体屈折力と角膜屈折力を分けたときの物側主点の関係式と、
を含む、
ことを特徴とする。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
被検体を載置して移動させる手段と、
前記被検体の全撮像領域を複数の領域に分割し、分割領域毎に前記被検体を移動させてＮＭＲ信号を計測する計測制御手段と、
前記分割領域毎の画像を再構成すると共に、前記分割領域毎の画像を接合して、前記全撮像領域の画像を合成する画像再構成手段と、
を備えた磁気共鳴イメージング装置において、
前記被検体の画像と共に前記全撮像領域を設定するGUIを表示する表示手段と、
前記ＧＵＩの操作情報が入力される入力手段と、
前記入力された操作情報に基づいて前記全撮像領域を複数の領域に分割する分割手段と、
を備えていることを特徴とする磁気共鳴イメージング装置。
【請求項２】
請求項１記載の磁気共鳴イメージング装置において、
前記分割手段は、前記全撮像領域を、一回の撮像で撮像できる範囲毎に分割することを特徴とする磁気共鳴イメージング装置。
【請求項３】
請求項１又は２記載の磁気共鳴イメージング装置において、
前記ＧＵＩは、平面状のスライス断面を表す線分を少なくとも一つ有していることを特徴とする磁気共鳴イメージング装置。
【請求項４】
請求項１又は２記載の磁気共鳴イメージング装置において、
前記ＧＵＩは、曲面状のスライス断面を表す曲線を少なくとも一つ有していることを特徴とする磁気共鳴イメージング装置。
【請求項５】
請求項４記載の磁気共鳴イメージング装置において、
前記分割手段は、前記曲面を複数の平面で近似して分割し、
前記計測制御手段は、前記複数の平面の各々を前記分割領域として計測することを特徴とする磁気共鳴イメージング装置。
【手続補正２】
【補正対象書類名】明細書
【補正対象項目名】００１０
【補正方法】変更
【補正の内容】
【００１０】
上記目的を解決する本発明のMRI装置は、被検体を載置して移動させる手段と、被検体の全撮像領域を複数の領域に分割し、分割領域毎に被検体を移動させてNMR信号を計測する計測制御手段と、分割領域毎の画像を再構成すると共に、分割領域毎の画像を接合して、全撮像領域の画像を合成する画像再構成手段と、を備え、さらに、
被検体の画像と共に全撮像領域を設定するGUIを表示する表示手段と、GUIの操作情報が入力される入力手段と、入力された操作情報に基づいて全撮像領域を複数の領域に分割する分割手段と、を備えていることを特徴とする。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
棒状化粧材を繰り出す先端開口孔を備えた先筒と、該先筒に回動可能に組付けられた基筒と、この中に内挿される芯チャック部材より構成され、繰出機構を内蔵し、
前記先筒と前記基筒の回転操作で前記芯チャック部材を軸方向に進退可能とするとともに、ホルダーに対し、前記基筒が脱着自在でありながら同期に回動する手段が設けられた化粧材容器のカートリッジであって、
前記先筒は、先端開口孔より連通する貫通孔が穿設され、該貫通孔に沿って摺動溝が形成されるとともに軸方向に摘部を形成する一方、外観の下端、外径寸法と前記摺動溝を含む前記貫通孔との間にＵ溝を穿設し、該Ｕ溝に嵌合部を設け、前記基筒を前記Ｕ溝に回動可能脱落不能に連結した事を特徴とする化粧材容器のカートリッジ。
【請求項２】
前記先筒の前記Ｕ溝の外周壁に嵌合部を設け、前記基筒の前部のＵ溝嵌入部を嵌入して連結するとともに、該Ｕ溝嵌入部外周にＯリング溝を設けてＯリングを巻装し、前記先筒の前記Ｕ溝外周壁に当接した事を特徴とする請求項１に記載の化粧材容器のカートリッジ。
【手続補正２】
【補正対象書類名】明細書
【補正対象項目名】０００８
【補正方法】変更
【補正の内容】
【０００８】
第１の発明では、棒状化粧材を繰り出す先端開口孔を備えた先筒と、該先筒に回動可能に組付けられた基筒と、この中に内挿される芯チャック部材より構成され、繰出機構を内蔵し、前記先筒と前記基筒の回転操作で前記芯チャック部材を軸方向に進退可能とするとともに、ホルダーに対し、前記基筒が脱着自在でありながら同期に回動する手段が設けられた化粧材容器のカートリッジであって、前記先筒は、先端開口孔より連通する貫通孔が穿設され、該貫通孔に沿って摺動溝が形成されるとともに軸方向に摘部を形成する一方、外観の下端、外径寸法と前記摺動溝を含む前記貫通孔との間にＵ溝を穿設し、該Ｕ溝に嵌合部を設け、前記基筒を前記Ｕ溝に回動可能脱落不能に連結する手段を講じたものである。
【手続補正３】
【補正対象書類名】明細書
【補正対象項目名】０００９
【補正方法】変更
【補正の内容】
【０００９】
第２の発明では、前記先筒の前記Ｕ溝の外周壁に嵌合部を設け、前記基筒の前部のＵ溝嵌入部を嵌入して連結するとともに、該Ｕ溝嵌入部外周にＯリング溝を設けてＯリングを巻装し、前記先筒の前記Ｕ溝外周壁に当接する手段を講じたものである。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
画素毎にＲＧＢの各カラーフィルタが一定方向に配列されたディスプレイと、ディスプレイの前面に配置される偏光光学部材であって、ディスプレイが持つ画素に対応して交互に配列された左眼用光学領域及び右眼用光学領域を持ち、該左眼用光学領域及び右眼用光学領域がディスプレイからの光を通過させるときに互いに直交する偏光軸の光に変換する偏光光学部材と、両眼視機能検査視標を含む視標を選択する視標選択手段と、両眼視機能検査視標が選択されたときに前記ディスプレイの表示を制御し、前記左眼用光学領域に対応した画素に左眼用視標を表示させ、前記右眼用光学領域に対応した画素に右眼用視標を表示させる表示制御手段と、を備える視標呈示装置において、
前記ディスプレイには、画素毎のＲＧＢの各カラーフィルタが縦方向に順に並べられように配置され、前記偏光光学部材の左眼用光学領域及び右眼用光学領域は、ディスプレイが持つ画素に対応して縦方向に延びるライン状に横方向に交互に配列されていることを特徴とする視標呈示装置。
【請求項２】
請求項１の視標呈示装置は、前記ディスプレイに表示する方向性を持つ視標データを記憶する記憶手段を備え、前記表示制御手段は前記視標選択手段の選択信号に基づいて前記記憶手段に記憶された視標データを呼び出してディスプレイに視標を表示させる手段であり、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記視標データは前記ディスプレイの回転に対して反対方向に９０度回転されたデータとして前記記憶手段に記憶されていることを特徴とする視標呈示装置。
【請求項３】
請求項１の視標呈示装置において、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記表示制御手段は、前記視標選択手段により方向性を持つ視標が選択されたときには、選択された視標の方向と前記ディスプレイに表示される視標の方向とを一致させるように、前記ディスプレイの回転情報に基づいて表示を制御することを特徴とする視標呈示装置。
【請求項４】
請求項１の視標呈示装置において、前記ＲＧＢの各カラーフィルタは、前記左眼用光学領域及び右眼用光学領域の境界にある画素を白色表示させるときに、前記偏光光学部材との隙間の影響によって前記左眼用光学領域及び右眼用光学領域の一方の画素から漏れる光が白色光となるように、前記境界部分で画素毎に同色の配置であることを特徴とする視標呈示装置。
【手続補正２】
【補正対象書類名】明細書
【補正対象項目名】０００７
【補正方法】変更
【補正の内容】
【０００７】
本発明は、上記課題を解決するために、以下のような構成を備えることを特徴とする。
（１）  画素毎にＲＧＢの各カラーフィルタが一定方向に配列されたディスプレイと、ディスプレイの前面に配置される偏光光学部材であって、ディスプレイが持つ画素に対応して交互に配列された左眼用光学領域及び右眼用光学領域を持ち、該左眼用光学領域及び右眼用光学領域がディスプレイからの光を通過させるときに互いに直交する偏光軸の光に変換する偏光光学部材と、両眼視機能検査視標を含む視標を選択する視標選択手段と、両眼視機能検査視標が選択されたときに前記ディスプレイの表示を制御し、前記左眼用光学領域に対応した画素に左眼用視標を表示させ、前記右眼用光学領域に対応した画素に右眼用視標を表示させる表示制御手段と、を備える視標呈示装置において、
前記ディスプレイには、画素毎のＲＧＢの各カラーフィルタが縦方向に順に並べられように配置され、前記偏光光学部材の左眼用光学領域及び右眼用光学領域は、ディスプレイが持つ画素に対応して縦方向に延びるライン状に横方向に交互に配列されていることを特徴とする。
（２）  （１）の視標呈示装置は、前記ディスプレイに表示する方向性を持つ視標データを記憶する記憶手段を備え、前記表示制御手段は前記視標選択手段の選択信号に基づいて前記記憶手段に記憶された視標データを呼び出してディスプレイに視標を表示させる手段であり、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記視標データは前記ディスプレイの回転に対して反対方向に９０度回転されたデータとして前記記憶手段に記憶されていることを特徴とする。
（３）  （１）の視標呈示装置において、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記表示制御手段は、前記視標選択手段により方向性を持つ視標が選択されたときには、選択された視標の方向と前記ディスプレイに表示される視標の方向とを一致させるように、前記ディスプレイの回転情報に基づいて表示を制御することを特徴とする。
（４）  （１）の視標呈示装置において、前記ＲＧＢの各カラーフィルタは、前記左眼用光学領域及び右眼用光学領域の境界にある画素を白色表示させるときに、前記偏光光学部材との隙間の影響によって前記左眼用光学領域及び右眼用光学領域の一方の画素から漏れる光が白色光となるように、前記境界部分で画素毎に同色の配置であることを特徴とする。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
本体内に着脱自在に収納される内鍋と、該内鍋の上部を覆う外蓋と、該外蓋に設けられた蒸気通路と、該蒸気通路に設けられ内鍋内の圧力を調整する調圧手段と、該調圧手段を動作させて前記蒸気通路を開閉制御する圧力制御手段と、前記外蓋を本体に開閉自在に保持するヒンジ部と、該ヒンジ部と反対側の外蓋に設けられたフックと、本体の上枠に設けられたフック受け部とを有する炊飯器において、前記フック受け部の少なくとも先端部に下向きに傾斜したフック受け傾斜部を設け、前記フックの先端係止部に上向きに傾斜したフック傾斜部を設け、前記フック受け傾斜部とフック傾斜部の間に略水平状態となるようにリリースバネを介在したことを特徴とする炊飯器。
【請求項２】
前記本体の上枠に、前記フック受け部と前記リリースバネをネジにより固定したことを特徴とする請求項１記載の炊飯器。
【請求項３】
本体内に着脱自在に収納される内鍋と、該内鍋の上部を覆う外蓋と、該外蓋に設けられた蒸気通路と、該蒸気通路に設けられ内鍋内の圧力を調整する調圧手段と、該調圧手段を動作させて前記蒸気通路を開閉制御する圧力制御手段と、前記外蓋を本体に開閉自在に保持するヒンジ部と、該ヒンジ部と反対側の外蓋に設けられた、回動自在なフックと、本体の上枠に設けられたフック受け部とを有する炊飯器において、
前記蒸気通路が前記調圧手段によって塞がれ、前記内鍋内の圧力によって前記外蓋が上方に押し上げられているときには、前記フック受け部が前記フックの回転を防止し、前記外蓋を開くことができず、
前記蒸気通路が前記調圧手段によって塞がれていないときには、前記外蓋を開くことができることを特徴とする炊飯器。
【請求項４】
本体内に着脱自在に収納される内鍋と、該内鍋の上部を覆う外蓋と、該外蓋に設けられた蒸気通路と、該蒸気通路に設けられ内鍋内の圧力を調整する調圧手段と、該調圧手段を動作させて前記蒸気通路を開閉制御する圧力制御手段と、前記外蓋を本体に開閉自在に保持するヒンジ部と、該ヒンジ部と反対側の外蓋に設けられたフックと、本体の上枠に設けられたフック受け部とを有する炊飯器において、
前記内鍋内部に圧力が加わらない状態では、前記フック受け部が前記フックの回動動作の障害とならず、前記内鍋内部に加わった圧力によって前記外蓋が上方に押し上げられた状態では、前記フックと前記フック受け部との間に設けられた板バネが変形するとともに、前記フック受け部が前記フックの回動動作の障害となることを特徴とする炊飯器。